(57)【特許請求の範囲】
【請求項１】
電気系統を接続するフラットケーブルを相対的に遠近方向に移動可能な第１部材と第２部材とに跨がって設け、前記第１部材及び前記第２部材にフラットケーブルを止める止め具を設けた遊技機において、
前記第１部材は前記第２部材と反対側にコネクタが設けられた基板を有し、
前記フラットケーブルは前記第２部材と反対側で前記コネクタに接続し、
前記第１部材の前記止め具は前記コネクタに対して前記第２部材と反対側に配置し、
前記第１部材の前記止め具は、
前記フラットケーブルを前記第１部材との間で平坦状に押える押え部と、
該押え部の前記第２部材と反対側から前記フラットケーブルの巻き掛け側に前記フラットケーブルの最小曲げ半径以上の半径で円弧状に形成され且つ前記第１部材と前記第２部材とが離れた位置にあるときに最小曲げ半径未満での前記フラットケーブルの屈曲を阻止する屈曲阻止部とを有する
ことを特徴とする遊技機。
【請求項２】
前記第１部材は可動部材であり、
前記第２部材は固定部材である
ことを特徴とする請求項１に記載の遊技機。
【発明の詳細な説明】
【技術分野】
【０００１】
本発明は、パチンコ機、アレンジボール機、スロットマシン等の遊技機に関するものである。
【背景技術】
【０００２】
遊技機、例えばパチンコ機等の弾球遊技機では、遊技盤の前面の遊技領域の略中央に画像表示手段を配置すると共に、この画像表示手段の前側に、発光体その他の電気的演出手段を備えた可動演出役物を演出位置と待機位置との間で移動自在に備え、特定の遊技状態のときに画像表示手段に所定の演出画像を表示する一方、可動演出役物を待機位置から演出位置へと移動させて、この可動演出役物の電気的手段により発光演出等を行うようにしている。
【０００３】
この種の弾球遊技機において、可動演出役物の可動部材側の電気的手段と固定側の制御基板との電気系統を接続する際には、一般的に可撓性を有するフラットケーブルが使用されている（特許文献１、２）。そして、特許文献１では、フラットケーブルの両端を電気的手段側の基板のコネクタと、固定側の制御基板のコネクタとに挿入すると共に、その各コネクタの近傍で止め具によりフラットケーブルを固定している。また特許文献２では、同様にフラットケーブルの両端を各コネクタに挿入し、可動部材側の近傍で止め具によりフラットケーブルを可動部材に固定している。
【先行技術文献】
【特許文献】
【０００４】
【特許文献１】特開２０１０−１８７９９２号公報
【特許文献２】特開２０１０−２２０８６５号公報
【発明の概要】
【発明が解決しようとする課題】
【０００５】
フラットケーブルは適度な保形性と屈曲性とを有するため、可動部材と固定側との間での電気系統の接続には多様される傾向にある。しかし、フラットケーブルは二枚の絶縁被覆間に複数本の薄い導体を平行に介在した帯状体であるため、フラットケーブルを小半径で曲げると、その内部の薄い導体が折損する惧れがある。そこで、フラットケーブルでは、曲げても導体が折損しない最小曲げ半径を規定し、その最小曲げ半径以下に曲げないようにしている。
【０００６】
しかし、従来はフラットケーブルの両端側をコネクタの近傍で止め具により固定するか、中間を止め具により固定するだけであるため、遊技盤の組み立て等の作業時に、誤ってフラットケーブルを引っ張るようなことがあれば、その止め具の近傍でフラットケーブルが小半径で折れ曲がって内部の導体が折損する惧れがあり、フラットケーブルを最小曲げ半径以下に曲げない細心の注意を払う必要がある。
【０００７】
本発明は、このような従来の問題点に鑑み、フラットケーブルを最小曲げ半径以下の曲げを画一的に防止できる遊技機を提供することを目的とする。
【課題を解決するための手段】
【０００８】
本発明は、電気系統を接続するフラットケーブルを相対的に遠近方向に移動可能な第１部材と第２部材とに跨がって設け、前記第１部材及び前記第２部材にフラットケーブルを止める止め具を設けた遊技機において、前記第１部材は前記第２部材と反対側にコネクタが設けられた基板を有し、前記フラットケーブルは前記第２部材と反対側で前記コネクタに接続し、前記第１部材の前記止め具は前記コネクタに対して前記第２部材と反対側に配置し、前記第１部材の前記止め具は、前記フラットケーブルを前記第１部材との間で平坦状に押える押え部と、該押え部の前記第２部材と反対側から前記フラットケーブルの巻き掛け側に前記フラットケーブルの最小曲げ半径以上の半径で円弧状に形成され且つ前記第１部材と前記第２部材とが離れた位置にあるときに最小曲げ半径未満での前記フラットケーブルの屈曲を阻止する屈曲阻止部とを有するものである。
【０００９】
前記第１部材は可動部材であり、前記第２部材は固定部材であってもよい。
【発明の効果】
【００１１】
本発明によれば、フラットケーブルを最小曲げ半径以下の曲げを画一的に防止できる利点がある。
【図面の簡単な説明】
【００１２】
【図１】本発明の第１の実施形態を例示するパチンコ機の正面図である。
【図２】同画像表示手段の平面断面図である。
【図３】同第１画像表示手段の側部の前飾り板部分の正面図である。
【図４】同第２画像表示手段の拡大平面断面図である。
【図５】同第２画像表示手段の一部破断正面図である。
【図６】同第２画像表示手段の一部破断側面図である。
【図７】同第２画像表示手段の背面図である。
【図８】同第２画像表示手段の斜視図である。
【図９】同止め具の断面図である。
【図１０】同第２画像表示手段の待機状態の平面断面図である。
【図１１】本発明の第２の実施形態を例示する画像表示手段の平面断面図である。
【図１２】本発明の第３の実施形態を例示する画像表示手段の平面断面図である。
【図１３】本発明の第４の実施形態を例示する画像表示手段の側面断面図である。
【図１４】本発明の第５の実施形態を例示する止め具部分の側面断面図である。
【図１５】同一部破断側面図である。
【図１６】本発明の第６の実施形態を例示する止め具部分の側面断面図である。
【図１７】同一部破断側面図である。
【図１８】本発明の第７の実施形態を示す説明図である。
【発明を実施するための形態】
【００１３】
以下、本発明の各実施形態を図面に基づいて詳述する。図１〜図１０は本発明をパチンコ機に採用した第１の実施形態を例示する。パチンコ機１は、図１に示すように、矩形状の外枠２と、この外枠２の前側にヒンジ３により縦軸廻りに開閉自在に枢着された前枠４とを備えている。前枠４の前側にはガラス扉５と前面板６とが上下に配置され、前枠４に対してヒンジ３と同じ側のヒンジ７により縦軸廻りに開閉自在に枢支されている。
【００１４】
前面板６の前側には、発射用の遊技球を貯留する球供給皿８と、余剰球を貯留する球受け皿９とが上下に配置され、その側方に遊技球を発射する発射手段（図示省略）の発射ハンドル１０が設けられている。球供給皿８、球受け皿９は前面板６に装着され、前側から上部皿カバー１２、下部皿カバー１３により覆われている。
【００１５】
上部皿カバー１２の前中央部には、前斜め上向きに操作ボタン兼用の回転演出手段１４が配置され、その左側にチャンスボタン１５が配置されている。ガラス扉５の裏側には、このガラス扉５に対応するように前枠４に遊技盤１６が着脱自在に装着されている。
【００１６】
遊技盤１６の前面には、図１に示すように、発射手段から発射された遊技球を案内するガイドレール１７が略円弧状に配置されると共に、そのガイドレール１７の内側の遊技領域１８に第１画像表示手段１９、第２画像表示手段２０、普通図柄始動手段２１、特別図柄始動手段２２、可変入賞手段２３、普通入賞口２４、普通図柄表示手段２５、特別図柄表示手段２６等の各種の遊技部品が配置され、最下部にアウト球を裏側へと案内するアウト口２７が設けられている。
【００１７】
ガイドレール１７は外レール１７ａと内レール１７ｂとを有する。第１画像表示手段１９は遊技領域１８の左右方向の略中央の上部に配置され、第２画像表示手段２０は第１画像表示手段１９の前一側部に配置され、演出位置Ａと待機位置Ｂとの間で移動可能に設けられている。特別図柄始動手段２２と可変入賞手段２３は第１画像表示手段１９の下側に上下に配置されている。普通入賞口２４は左右に隣り合って配置され、可変入賞手段２３の左右両側に設けられている。特別図柄始動手段２２は非開閉式入賞口２２ａと開閉式入賞口２２ｂとを有する。普通図柄始動手段２１は第１画像表示手段１９とガイドレール１７との間に配置されている。
【００１８】
第１画像表示手段１９は、図１、図２に示すように、液晶式等の第１画像表示部２８と、第１画像表示部２８を支持し且つ遊技盤１６の裏面に装着された装着枠２９と、第１画像表示部２８に対応する表示窓３０を有し且つ遊技盤１６の前面に装着された前飾り枠３１とを備えている。前飾り枠３１は遊技盤１６の前面に当接する取り付け板３２と、この取り付け板３２の内周側から後方に延びて第１画像表示部２８の外周部から前側を覆う前飾り板３３と、第１画像表示部２８の上部から左右両側部に跨がって取り付け板３２の前面に配置され且つ遊技盤１６から前側に突出する突出部３４を備えている。第１画像表示手段１９の前飾り枠３１、取り分けその前飾り板３３の前側に、第２画像表示手段２０が配置されている（図１、図２参照）。
【００１９】
普通図柄表示手段２５、特別図柄表示手段２６は突出部３４の上部側の前面に装着されている。普通図柄表示手段２５は普通図柄を変動表示するためのもので、複数種類の普通図柄（例えば２種類の「○」「×」）に対応する複数個の発光素子により構成されており、普通図柄始動手段２１が遊技球を検出することを条件に２個の発光素子が交互に点灯するように所定時間点滅して、普通図柄始動手段２１の遊技球の検出時に抽選した乱数値が予め定められた当たり判定値と一致した場合に当たり態様の「○」側の発光素子が点灯し、それ以外の場合に外れ態様の「×」側の発光素子が点灯して停止する。なお、変動後の普通図柄は１／１０程度の所定の確率で当たり態様となる。
【００２０】
特別図柄表示手段２６は発光部位の変化等で特別図柄を変動表示可能なセグメント式等により構成されており、特別図柄始動手段２２が遊技球を検出することを条件に、特別図柄が所定時間変動して、特別図柄始動手段２２の遊技球の検出時に抽選された乱数値が予め定められた大当たり判定値と一致した場合に所定の大当たり態様で、それ以外の場合に外れ態様で停止するようになっている。
【００２１】
特別図柄始動手段２２の開閉式入賞口２２ｂは、普通図柄表示手段２５の変動後の停止図柄が当たり態様となったときに所定時間（短時間）だけ開放するようになっている。可変入賞手段２３は開閉板２３ａを有し、特別図柄表示手段２６の変動後の特別図柄が大当たり態様となって特別遊技状態が発生したときに開閉板２３ａが前側に開放して、上方から落下する遊技球を入賞させるようになっている。特別遊技状態中は開閉板２３ａの開放から所定時間（例えば３０秒程度）が経過するか、その間に所定数（例えば１０個）の遊技球が入賞したときに開閉板２３ａを閉じる動作を１ラウンドとし、この動作を所定回数（例えば１６ラウンド）継続するようになっている。
【００２２】
第１画像表示部２８は特別図柄表示手段２６の特別図柄に対応する演出図柄３５ａ〜３５ｃの変動表示、回転演出手段１４の操作指示画像３６を表示する操作指示等、遊技の進行に従って適宜タイミングで各種の演出画像を随時表示するものである。即ち、特別図柄表示手段２６の特別図柄の変動に際しては、その特別図柄の変動に同期して１個又は複数個、例えば３個の演出図柄３５ａ〜３５ｃが第１画像表示部２８に変動表示される。このとき演出図柄３５ａ〜３５ｃは特別図柄始動手段２２の遊技球の検出を条件に、抽選により決定された所定の演出図柄変動パターンを経て所定時間変動した後、特別図柄の変動終了に同期して所定の順序（例えば左、右、中等の順序）で順次停止する。
【００２３】
演出図柄３５ａ〜３５ｃの変動後の停止図柄は、特別図柄が大当たり態様で停止する場合には全てが揃う大当たり演出態様となり、特別図柄が外れ態様で停止する場合には少なくとも一部が異なる外れ演出態様となる。
【００２４】
例えば、演出図柄３５ａ〜３５ｃには０〜９までの数字図柄が使用されており、特別図柄が大当たり態様で停止する場合には演出図柄３５ａ〜３５ｃは「７・７・７」等の大当たり演出態様で停止し、特別図柄が外れ態様で停止する場合には演出図柄３５ａ〜３５ｃは「２・４・５」等の外れ演出態様で停止する。
【００２５】
回転演出手段１４の操作指示に際しては、変動後の特別図柄が大当たり態様となる信頼度の高い演出図柄変動パターンを抽選したとき等、遊技者に対して期待感を抱かせる所定の遊技状態、例えば１個の演出図柄３５ｂを除く２個の演出図柄３５ａ，３５ｃが同じとなるリーチとなった場合に、第１画像表示部２８の所定箇所に回転演出手段１４の操作を指示する操作指示画像３６が表示される。
【００２６】
そして、例えば特別図始動手段２２が遊技球を検出したときに大当たりを抽選しており、変動後の特別図柄が大当たり態様となった後に特別遊技状態が発生する場合には、その操作指示画像３６に従って図柄変動中に適宜タイミングで回転演出手段１４の発光カバー３７を押圧操作すれば、発光カバー３７内の発光部が回転しながら明滅発光する回転発光状態となって、その後の大当たり態様での特別図柄の停止、及びこれに続く特別遊技状態の発生を予告する。
【００２７】
なお、回転演出手段１４は遊技者が操作するか否かに関係なく回転発光させてもよい。また回転演出手段１４の回転発光中は、第１画像表示部２８に回転演出手段１４の回転発光を示す演出画像を表示してもよい。
【００２８】
第２画像表示手段２０（第１部材である可動部材）は可動演出役物を構成するものであって、図１、図２に示すように、第１画像表示部２８の左右方向の一側で前飾り板３３の前側に配置され、駆動手段３９の駆動により、駆動手段３９と案内手段４０とが協働して、第１画像表示部２８の前側に突出する演出位置Ａと、この演出位置Ａから側方に外れた待機位置Ｂとの間で左右方向に移動可能である。
【００２９】
第２画像表示手段２０は駆動手段３９と案内手段４０とにより、演出位置Ａでは第１画像表示手段１９の前面（第１画像表示部２８の前面）と略平行な前向き姿勢（図４参照）に保持され、また待機位置Ｂでは第１画像表示手段１９の内外方向の内側へと前内向きに傾斜する内向き姿勢（図９参照）に保持されている。待機位置Ｂは第２画像表示手段２０が第１画像表示部２８よりも外側に外れて第１画像表示部２８の装着枠２９の前側に重なり且つ第２画像表示手段２０の表示画像を視認可能な位置となっている。なお、待機位置Ｂは第２画像表示手段２０の一部が第１画像表示部２８の前側に重なるようにしてもよい。
【００３０】
第２画像表示手段２０は、図３〜図８に示すように、収容ケース４１内に収容された第２画像表示部４２を有する。第２画像表示部４２は縦長矩形状の透明な支持板４３と、この支持板４３に対応して裏側に配置された液晶パネル等の縦長矩形状の表示素子３８と、表示素子３８を裏側から保護する保護ケース４４と、支持板４３の裏側で第２画像表示部４２の上下両側に配置された発光基板４５と、保護ケース４４の裏側に装着された中継基板４６とを備えている。
【００３１】
支持板４３は裏側に突出する外周壁４３ａと内周壁４３ｂとを有し、この内周壁４３ｂの内側が縦長状の画像表示領域となっている。表示素子３８は保護ケース４４に収容され、画像表示領域に対応して支持板４３の裏側に保護ケース４４を介して取り付けられている。発光基板４５は表示領域の上下両側で支持板４３の裏側に左右方向に配置され、左右両端部の前面に発光ダイオード等の発光体が装着されている。各発光基板４５は支持板４３と保護ケース４４との間で挟まれて固定されている。
【００３２】
中継基板４６は、図４、図７、図８に示すように、保護ケース４４の裏側の略中央部に、保護ケース４４との間に隙間を置いて略平行に装着されており、この中継基板４６に第２画像表示部４２、発光基板４５がハーネス（図示省略）等を介して電気的に接続されている。また中継基板４６の裏側にはコネクタ５３が装着され、このコネクタ５３にフラットケーブル４７が着脱自在に接続されている。
【００３３】
フラットケーブル４７は、図４、図７、図８に示すように、保護ケース４４の裏側の止め具４８を経て収容ケース４１の開口４１ａから裏側に引き出され、駆動手段３９、案内手段４０等の取り付け台（第２部材である固定部材）４９の裏側の止め具５０を経て遊技盤１６の裏側の演出制御基板（図示省略）等に着脱自在に接続されている。
【００３４】
取り付け台４９は、図４〜図８に示すように、第１画像表示部２８よりも外側で待機位置Ｂの後方に配置された第１枠部５１と、第１枠部５１の下側から第１画像表示部２８の前側へと横方向に延びる第２枠部５２とを有し、その第１枠部５１及び第２枠部５２の夫々が前飾り枠３１の裏側に着脱自在に装着されている。第１枠部５１は前側が開放する平面視略コ字状であって、後壁５１ａと左右一対の側壁５１ｂ，５１ｃとを有し、その後壁５１ａの裏面に上下方向に配置された止め具５０によりフラットケーブル４７の中間部が固定されている。第２枠部５２は第１画像表示部２８の下前側で前飾り板３３に設けられた平坦部３３ａの上面と略面一状に設けられている。
【００３５】
なお、取り付け台４９は第１画像表示手段１９側に装着しておればよく、例えば装着枠２９に装着してもよいし、装着枠２９と前飾り枠３１とに跨がって装着してもよい。装着枠２９と前飾り枠３１とにより、第１画像表示手段１９の支持枠が構成されている。
【００３６】
駆動手段３９は演出位置Ａと待機位置Ｂとの間で第２画像表示手段２０を移動させるもので、図４〜図８に示すように、第１枠部５１内に上下方向に配置され且つ第１枠部５１に回動自在に支持された枢支軸５４と、この枢支軸５４に固定された上下一対の揺動アーム５５と、第１枠部５１上に装着され且つ揺動アーム５５を枢支軸５４廻りに往復駆動する駆動モータ（駆動源）５６とを有する。
【００３７】
各揺動アーム５５は支持板４３から裏側に突出する突出部５７の後端に枢支軸５４と略平行な連結軸５８を介して連結されている。駆動モータ５６はステッピングモータ等により構成され、第１枠部５１上に固定されている。駆動モータ５６の出力軸は枢支軸５４に軸継手を介して連結されている。
【００３８】
なお、第１枠部５１は第２画像表示手段２０の移動方向（左右方向）と略直交する方向（上下方向）に配置され、第２枠部５２は第２画像表示手段２０の移動方向に沿う方向（左右方向）に配置されている。枢支軸５４は第１枠部５１と同様、第２画像表示手段２０の移動方向（左右方向）と略直交する方向（上下方向）に配置され、その両端部に一対の揺動アーム５５が設けられている。下側の揺動アーム５５は第１枠部５１の受け面５１ｄにより摺動自在に支持されている。
【００３９】
案内手段４０は図４〜図８に示すように、駆動手段３９と協働して第２画像表示手段２０を両位置間で案内しながら、待機位置Ｂでの第１画像表示手段１９の内側へと前内向きに傾斜する内向き姿勢と、演出位置Ａでの前向き姿勢との間で第２画像表示手段２０の姿勢を変化させるもので、固定側である第２枠部５２に設けられた左右方向の案内部５９と、この案内部５９により左右方向に案内され且つ第２画像表示手段２０を枢支軸５４と平行な軸心廻りに揺動自在に支持する被案内部６０とを有する。第２枠部５２は略水平状に設けられている。
【００４０】
案内部５９は第２枠部５２に形成された左右方向の横案内溝（第１案内溝）５９ａと、この横案内溝５９ａの外端から前外側へと斜め方向に傾斜状に形成された傾斜案内溝（第２案内溝）５９ｂとを備えている。被案内部６０は支持板４３の幅方向の略中央近傍から下方に突出する突出軸６０ａと、この突出軸６０ａに套嵌され且つ案内溝５９ａ，５９ｂに摺動自在に嵌合する案内輪６０ｂを有する。
【００４１】
なお、案内部５９は第２画像表示手段２０の前面に略沿って移動方向に配置されており、その横案内溝（第１案内溝）５９ａは第２画像表示手段２０の前面と略平行であり、傾斜案内溝（第２案内溝）５９ｂは横案内溝（第１案内溝）５９ａに対して前側に所定角度傾斜して配置されている。突出軸６０ａは枢支軸５４と略平行である。
【００４２】
第１枠部５１の後壁５１ａには、止め具５０とその内側の側壁５１ｂとの間に挿通孔６２が形成され、フラットケーブル４７はその挿通孔６２に挿通され、側壁５１ｂとカバー６３との間を経て挿通孔６４から前飾り板３３の前側に引き出されている。カバー６３は枢支軸５４を覆うように第１枠部５１に着脱自在に固定されている。
【００４３】
なお、第２画像表示手段２０、駆動手段３９、案内手段４０は取り付け台４９に設けられており、第２画像表示手段２０が前飾り板３３の開口６５に裏側から出退するように前飾り枠３１の裏側に着脱自在に装着されている。なお、開口６５はフラットケーブル４７用の挿通孔６４、揺動アーム５５用の挿通孔６６を有する閉塞板６７により塞がれている。閉塞板６７は前飾り板３３の裏側に着脱自在に装着され、また挿通孔６４，６６はフラットケーブル４７、揺動アーム５５に対応して左右方向の一端側から他端側へと切り欠き形成されている。
【００４４】
中継基板４６は第２画像表示部４２の左右方向の略中央か、又は略中央よりも若干取り付け台４９と反対側に偏位して配置されている。コネクタ５３は中継基板４６の取り付け台４９とは反対側の端部に上下方向に配置され、このコネクタ５３に取り付け台４９と反対側からフラットケーブル４７が着脱自在に接続されている。止め具４８は中継基板４６及びコネクタ５３に対して取り付け台４９とは反対側の近傍で保護ケース４４の裏側に枢支軸５４と略平行に上下方向に配置され、上下両端に取り付け部６８を有し、その取り付け部６８がフラットケーブル４７の幅方向の両側で保護ケース４４にネジ６９により着脱自在に固定されている。
【００４５】
フラットケーブル４７は取り付け台４９の止め具５０と第２画像表示部４２の止め具４８との間で、第２画像表示手段２０の演出位置Ａと待機位置Ｂとの間での移動に必要な長さを有し、両止め具４８，５０間で第２画像表示手段２０の移動方向に緩やかな蛇行状に屈曲するようになっている。止め具４８は図４、図６〜図９に示すように、枢支軸５４と略平行な上下方向の略円柱状の本体部７０と、この本体部７０の両側に設けられた取り付け部６８とを有し、その本体部７０にはフラットケーブル４７を保護ケース４４側に押える偏平状の押え部７１と、フラットケーブル４７の最小曲げ半径未満の屈曲を阻止する屈曲阻止部７２とが設けられている。
【００４６】
屈曲阻止部７２は押え部７１に対して取り付け台４９と反対側（移動方向の一側）から、押え部７１に対して保護ケース４４と反対側（裏側）にわたって円弧状に形成され、その半径はフラットケーブル４７の最小曲げ半径以上となっている。
【００４７】
このような構成のパチンコ機において、遊技に際して発射手段により遊技盤１６の遊技領域１８に遊技球を打ち込むと、その遊技球は遊技盤１６の前面に沿って遊技領域１８内を落下する間に普通図柄始動手段２１を通過するか、普通入賞口２４、特別図柄始動手段２２、可変入賞手段２３の何れかに入賞する。また普通入賞口２４等に入賞せずに落下した遊技球は、内レール１７ｂにより案内されてアウト口２７から排出されて行く。
【００４８】
普通図柄始動手段２１が遊技球を検出すると、普通図柄表示手段２５の普通図柄が所定時間変動し、その当たり態様、外れ態様の何れかで停止する。普通図柄が当たり態様であれば、特別図柄始動手段２２の開閉式入賞口２２ｂが所定時間開放する。そして、特別図柄始動手段２２の上下２個の入賞口２２ａ，２２ｂの何れかに遊技球が入賞すると、特別図柄表示手段２６の特別図柄が所定時間変動し、またその特別図柄の変動に同期して第１画像表示部２８の演出図柄３５ａ〜３５ｃが所定の演出図柄変動パターンで変動する。
【００４９】
第２画像表示手段２０は通常、図３、図１０に示すように待機位置Ｂで待機しており、その第２画像表示部４２に第１画像表示部２８の演出画像と同期して適宜演出画像が表示されている。なお、第２画像表示手段２０が待機位置Ｂにあるとき、止め具４８，５０間のフラットケーブル４７は、前飾り板３３と第２画像表示手段２０との間で図１０に示すように屈曲している。
【００５０】
特別図柄始動手段２２が遊技球を検出した際に、変動後の特別図柄が大当たり態様となって特別遊技状態が発生する大当たりを抽選していた場合には、例えば特別図柄の変動中において、第１画像表示手段１９に表示される演出図柄３５ａ〜３５ｃのうち２個の演出図柄３５ａ，３５ｃが同じ図柄を表示するリーチになったときに、第２画像表示手段２０が待機位置Ｂから第１画像表示部２８の前側の演出位置Ａへと移動して、変動表示中の１個の演出図柄３５ｃを一時的に隠蔽する。これとは別に第１画像表示部２８に表示される演出画像と同期して、その演出画像の一部と前後に重なるように第２画像表示部４２に演出画像が表示され、両画像表示部２８，４２の演出画像の組み合わせにより一体感のある画像演出を行う。
【００５１】
次に第２画像表示手段２０は演出位置Ａから待機位置Ｂへと移動すると、第２画像表示手段２０により隠蔽状態であった演出図柄３５ｃが第１画像表示部２８に現れ、また第２画像表示手段２０により覆われていた第１画像表示部２８に、回転演出手段１４の操作を指示する操作指示画像３６が第１画像表示手段１９に表示される。
【００５２】
この操作指示画像３６の表示中に遊技者が適宜タイミングで回転演出手段１４を押圧操作すれば、回転演出手段１４が赤色に回転発光して、その後に特別図柄が大当たり態様で停止して特別遊技状態が発生することを予告する予告演出を行う。そして、特別図柄が大当たり態様で停止した後に可変入賞手段２３が所定の開閉動作を行う大当たり遊技が発生する。この大当たり遊技では、可変入賞手段２３の開閉板２３ａが前側に開放して、上方から落下する遊技球を開閉板２３ａにより可変入賞手段２３内に案内するので、多数の遊技球が入賞し易くなる。
【００５３】
待機位置Ｂで待機中の第２画像表示手段２０には、その第２画像表示部４２に第１画像表示部２８の演出画像と同期して演出画像が表示される。このとき第２画像表示手段２０は待機位置Ｂでは内向き姿勢に保持されているため、遊技者はその第２画像表示部４２の演出画像を無理なく容易に視認することができる。また第２画像表示手段２０は内向き姿勢に傾斜しているため、正面に向けて配置する場合に比較して第２画像表示手段２０が専有する左右の専有幅を狭くできる。従って、第１画像表示部２８の側方の少ないスペースに、左右幅の大きい第２画像表示手段２０を配置することができる。
【００５４】
第２画像表示手段２０は演出位置Ａでは第１画像表示部２８の前側で前向き姿勢にあるため、第１画像表示部２８に表示される演出画像と同期して前後に重なるように第２画像表示部４２に演出画像を表示することが可能であり、両画像表示手段１９，２０の表示画像により一体感のある演出ができる等、両画像表示手段１９，２０の表示画像による演出効果を向上せることができる。また第２画像表示手段２０は第１画像表示部２８の前側の演出位置Ａと待機位置Ｂとの間で移動するため、第２画像表示手段２０を第１画像表示手段１９の演出画像の一部を隠蔽する隠蔽手段として活用できることとなり、両画像表示手段１９，２０の組み合わせ演出効果を更に向上させることができる。
【００５５】
第２画像表示手段２０の待機位置Ｂにおいて、駆動モータ５６に回転指令が入ると、揺動アーム５５が枢支軸５４廻りに図９のａ矢示方向へと揺動するので、連結軸５８を介して第２画像表示手段２０に外力が加わり、被案内部６０が案内部５９により傾斜案内溝５９ｂから横案内溝５９ａへと案内されて行く。このとき案内部５９に傾斜案内溝５９ｂがあり、被案内部６０がその傾斜案内溝５９ｂに沿って移動し始めるため、駆動手段３９による駆動開始時点の動きをスムーズにできる。
【００５６】
また第２画像表示手段２０は連結軸５８、被案内部６０廻りに回動しながら、揺動アーム５５の揺動により連結軸５８が後方へと移動することにより、第２画像表示手段２０を左右方向の少ない移動量で待機位置Ｂの内向き姿勢から演出位置Ａの前向き姿勢へと変化させることができる。
【００５７】
なお、演出位置Ａの第２画像表示手段２０を待機位置Ｂへと戻すときは駆動モータ５６を逆転させて、揺動アーム５５を枢支軸５４廻りに図４のｂ矢示方向に揺動させればよい。
【００５８】
第２画像表示手段２０を第１画像表示手段１９に組み付ける場合には、前飾り板３３の裏側から第２画像表示手段２０を開口６５に挿入して、その取り付け台４９を前飾り板３３の裏側に固定する。このときフラットケーブル４７はその適当位置を止め具４８，５０により第２画像表示部４２、第１枠部５１の裏側に予め固定しておいてもよいし、第２画像表示部４２側の止め具４８によりフラットケーブル４７を固定しておき、取り付け台４９の取り付け後に適当な余裕を持たせて止め具５０により第１枠部５１に固定してもよい。
【００５９】
このような組み立て作業において、例えばフラットケーブル４７を図４のｃ矢示方向に誤って引っ張るようなことがあっても、フラットケーブル４７の導体の折損等を防止できる。即ち、フラットケーブル４７を固定する止め具４８には、押え部７１に連続して最小曲げ半径以上の半径で円弧状に湾曲する屈曲阻止部７２があり、フラットケーブル４７を図４のｃ矢示方向に引っ張っても、図３に二点鎖線で示すように屈曲阻止部７２に沿って屈曲するだけである。このためフラットケーブル４７が最小曲げ半径未満に曲がることはなく、フラットケーブル４７の導体の折損等を未然に防止することができる。
【００６０】
図１１は本発明の第２の実施形態を例示する。この実施形態では、案内手段４０の案内部５９を構成する案内溝５９ｃは、第１画像表示部２８の前面と略平行に左右方向に設けられ、また被案内部６０は第２画像表示手段２０の端部に設けられている。他の構成は第１の実施形態と同様である。
【００６１】
このように構成すれば、揺動アーム５５の回動により第２画像表示手段２０を演出位置Ａへと押圧するときの押圧方向と案内溝５９ｃとのなす角を小さくできる。このため案内部５９の案内溝５９ｃが左右方向のみであるにも拘わらず、第２画像表示手段２０をスムーズに移動させることができる。
【００６２】
図１２は本発明の第３の実施形態を例示する。この実施形態では、第２画像表示手段２０は内向き姿勢の傾斜状態で演出位置Ａと待機位置Ｂとの間で直線的に移動するようになっている。演出位置Ａは第２画像表示手段２０が第１画像表示部２８の前に重なるが、待機位置Ｂは第２画像表示手段２０が第１画像表示部２８に一部重なってもよいし、第１画像表示部２８から外側に離れる位置でもよい。他の構成は第１の実施形態と同様である。第２画像表示手段２０はこのように設けてもよい。
【００６３】
図１３は本発明の第４の実施形態を例示する。この実施形態の第２画像表示手段２０は、第１画像表示部２８の上側で演出位置Ａと待機位置Ｂとの間で移動自在に設けられている。第２画像表示手段２０は例えば横長矩形状であり、待機位置Ｂでは下に向いて内向き姿勢に保持され、演出位置Ａでは第１画像表示部２８の前面と略平行な前向き姿勢に保持されている。第２画像表示手段２０は、このように上下方向に移動するようにしてもよい。
【００６４】
なお、第２画像表示手段２０の支持機構、駆動手段３９等は、その構成部材の方向を変える等により、その基本的には第１の実施形態と同様の構成を採用することができる。例え第１枠部５１、枢支軸５４等は第２画像表示手段２０の移動方向と略直角な左右方向に配置し、第２枠部５２、案内部５９等は第２画像表示手段２０の移動方向に沿って上下配置すれば良い。なお、案内部５９は第２画像表示手段２０の移動方向と略直角な方向の両側に設けても良い。
【００６５】
図１４及び図１５は本発明の第５の実施形態を例示する。この実施形態の止め具４８は、本体部７０が中空の筒状に構成され、その本体部７０に偏平状の押え部７１と屈曲阻止部７２とが設けられている。押え部７１の両側に取り付け部６８が設けられている。他の構成は第１の実施形態と同様である。
【００６６】
このように止め具４８を中空状に構成すれば、樹脂成型等で容易に製作できると共に、材料の無駄を防止できる。また本体部７０が筒状であるため、フラットケーブル４７に大きな外力が加わった場合にも、止め具４８が変形し損傷するようなことはない。
【００６７】
図１６及び図１７は本発明の第６の実施形態を例示する。この実施形態の止め具４８は、押え部７１と屈曲阻止部７２とを有する本体部７０が断面Ｃ字状に構成され、長手方向の両端及び中間等の適当箇所の内周に補強リブ７０ａが設けられている。他の構成は第１の実施形態、第５の実施形態と同様である。
【００６８】
このようにすれば、本体部７０の周方向の一部が屈曲阻止部７２と反対側で開放するため、止め具４８，５０を容易に樹脂成型することができる。また本体部７０内に補強リブ７０ａがあるため、それによって本体部７０の強度も容易に確保することができる。
【００６９】
図１８は本発明の第７の実施形態を例示する。この実施形態では、電気的手段を備えた可動演出役物７４が演出位置Ａと待機位置Ｂとの間で左右方向に移動自在であり、その演出位置Ａと待機位置Ｂとの中間の固定部材７５に止め具４８，５０でフラットケーブル４７が止められている。固定部材７５にはフラットケーブル４７の最小屈曲半径以上の半径で円弧状に形成された屈曲阻止部７２が設けられている。なお、可動演出役物７４の裏側には、各実施形態と同様にコネクタ５３を有する基板と、押え部７１及び屈曲阻止部７２を有する押え具が設けられている。
【００７０】
このようにフラットケーブル４７の長手方向の両側に屈曲阻止部７２を設けてもよい。またその場合、屈曲阻止部７２は止め具４８，５０側に一体に設けてもよいし、固定部材７５側に設けてもよい。屈曲阻止部７２はフラットケーブル４７の損傷を防止する上で必要な箇所であれば、止め具５０以外の箇所でもよい。屈曲阻止部７２は止め具４８，５０等と一体である必要はなく、止め具４８，５０等と別に設けてもよい。
【００７１】
以上、本発明の各実施形態について詳述したが、本発明はこの各実施形態に限定されるものではなく、本発明の趣旨を逸脱しない範囲で種々の変更が可能である。例えば、可動演出役物７４として液晶パネル式の第２画像表示手段２０を例示しているが、この第２画像表示手段２０は液晶パネル式以外の表示形式を採用したものでもよい。第２画像表示手段２０は左右方向又は上下方向に移動する他、斜め方向に移動するようにしても良い。更に第２画像表示手段２０は特定の支点廻りに回動しながら左右又は上下に移動するようにしてもよい。
【００７２】
また第２画像表示手段２０以外の電気的手段を備えた可動演出役物７４でもよい。屈曲阻止部７２は止め具４８、固定部材７５の他、収容ケース４１の開口４１ａの開口縁に設けてもよい。屈曲阻止部７２の形状も適宜変更可能である。
【００７３】
駆動手段３９、案内手段４０は第２画像表示手段２０、可動演出役物７４に要求される動きに応じて適宜変更可能である。例えば、第１の実施形態に示すように第２画像表示手段２０が左右方向に移動する場合には、枢支軸５４、連結軸５８、突出軸６０ａ、止め具４８，５０等は、第２画像表示手段２０の移動方向と略直交する方向の上下方向に配置され、案内部５９は第２画像表示手段２０の移動方向に沿うように略左右方向に配置されることになる。しかし、第４の実施形態に示すように第２画像表示手段２０が上下方向に移動する場合には、枢支軸５４、連結軸５８、突出軸６０ａ、止め具４８，５０等は、第２画像表示手段２０の移動方向と略直交する方向の左右方向に配置され、案内部５９は第２画像表示手段２０、可動演出役物７４の移動方向に沿うように略上下方向に配置されることになる。
【００７４】
駆動手段３９は第２画像表示手段２０、可動演出役物７４の駆動のみを行い、案内手段４０は第２画像表示手段２０、可動演出役物７４の案内のみを行うようにしてもよい。更にパチンコ機等の弾球遊技機は勿論のこと、スロットマシン等の各種の遊技機にも採用可能であることは云うまでもない。
【符号の説明】
【００７５】
１６  遊技盤
１９  第１画像表示手段
２８  第１画像表示部
３９  駆動手段
４０  案内手段
４２  第２画像表示手段（第１部材、可動部材）
４７  フラットケーブル
４８  止め具
５１  第１枠部（第２部材、固定部材）
５３  コネクタ
５４  枢支軸
５５  揺動アーム
５６  駆動モータ（駆動源）
５９  案内部
６０  被案内部
７１  押え部
７２  屈曲阻止部
Ａ  演出位置
Ｂ  待機位置
【図１】
0005851744.tif 000002
【図２】
0005851744.tif 000003
【図３】
0005851744.tif 000004
【図４】
0005851744.tif 000005
【図５】
0005851744.tif 000006
【図６】
0005851744.tif 000007
【図７】
0005851744.tif 000008
【図８】
0005851744.tif 000009
【図９】
0005851744.tif 000010
【図１０】
0005851744.tif 000011
【図１１】
0005851744.tif 000012
【図１２】
0005851744.tif 000013
【図１３】
0005851744.tif 000014
【図１４】
0005851744.tif 000015
【図１５】
0005851744.tif 000016
【図１６】
0005851744.tif 000017
【図１７】
0005851744.tif 000018
【図１８】
0005851744.tif 000019